【手続補正書】
【提出日】令和3年8月3日(2021.8.3)
【手続補正１】
【補正対象書類名】特許請求の範囲
【補正対象項目名】全文
【補正方法】変更
【補正の内容】
【特許請求の範囲】
【請求項１】
香料組成物を含む消費者用製品であって、当該香料組成物は少なくとも２種の、より特定的には少なくとも５種の、さらに特定的には１０種以上の、香料成分を含み、既知のSandman Classifier（ＳＣ）値が少なくとも１．３５であり、ここで、Sandman Classifierは、
−  標準の１０−２０電極法を使用して脳波検査（ＥＥＧ）によって当該香料組成物を吸引した後で、ヒト対象の脳波活動を測定すること；および
−  以下の式：
ＳＣ＝（（а１ｃｅ＋Θｃｅ）／δｔｅｍ）＋（Θ／а２）
式中：
а１ｃｅは、中心部電極Ｃ３、Ｃ４、Ｃｚにわたる８〜１２ヘルツの間の振動数を有するアルファ１脳波活動の振幅値を表し；
Θｃｅは、中心部電極Ｃ３、Ｃ４、Ｃｚにわたる４〜７ヘルツの間の振動数を有するシータ脳波活動の振幅値を表し；
δｔｅｍは、側頭部電極Ｔ７およびＴ８にわたる０．１〜３ヘルツの間の振動数を有するシータ脳波活動の振幅値を表し；および
Θ／а２は、全電極にわたる４〜７ヘルツの間の振動数を有するシータ脳波活動の振幅の１２〜１５ヘルツの間の振動数を有するアルファ２脳波活動の振幅値に対する比を表す；
にしたがうSandman Classifier（ＳＣ）を規定すること、
によって規定される、前記消費者用製品。
【請求項２】
既知のＳＣ値の香料成分が、香料組成物の０．１重量％〜１００重量％、より特定的には８．５重量％〜１００重量％、さらに特定的には３４重量％〜７１重量％に相当する、請求項1に記載の消費者用製品。
【請求項３】
香料組成物が、少なくとも重量で０．０１％の、以下の群から選び出される香料材料を含む、請求項１または２に記載の消費者用製品：
Ａ）香料組成物中で使用される香水成分の総量を基にして１重量％〜３０重量％の、少なくとも１種の以下からなる群から選択される柑橘調の成分：ベルガモット油、エッセンス、エキス、ベース、代用物または代替物；CITRAL LEMAROME N；CITRAL TECH；CITRATHAL R；CITRONELLYL NITRILE；CLONAL；CYMENE PARA；DIHYDRO MYRCENOL；DIMETHYL OCTENONE；DIMETOL；FLOROPAL；グレープフルーツ油、エッセンス、エキス、代替物または代用物；レモン油、エッセンス、エキス、ベース、代用物または代替物；LEMONILE；LINALOOL OXIDE；LINALYL ACETATE SYNTHETIC；アオモジ油、エッセンス、エキス、代替物または代用物；マンダリン油、エッセンス、エキス、ベース、代用物または代替物；METHYL PAMPLEMOUSSE；MYRCENE 90；オレンジ油、エッセンス、エキス、ベース、代用物または代替物；プチグレン油、エッセンス、エキス、ベース、代替物または代用物；PRECYCLEMONE B；PRENYL ACETATE；RHUBAFURAN；タマリンド油、エッセンス、エキス、ベース、代替物または代用物；タンジェリン油、エッセンス、エキス、エッセンス、ベース、代替物または代用物；TERPINENE GAMMA；TERPINOLENE；およびTERPINYL ACETATE；
および、以下に表示する量の、群Ｂ１〜Ｂ２０の少なくとも５つからの少なくとも１種の成分：
Ｂ１）香料組成物中で使用される香水成分を基にして０．０１重量％〜１．５重量％の、以下からなる群から選択される少なくとも１種のアルデヒド調の成分：ALDEHYDE C 10 DECYLIC；ALDEHYDE C 11 UNDECYLENIC；ALDEHYDE C 110 UNDECYLIC；ALDEHYDE C 12 LAURIC；ALDEHYDE C 12 MNA PURE；ALDEHYDE C 8 OCTYLIC FOOD GRADE；ALDEHYDE C 9 ISONONYLIC；ALDEHYDE C 9 NONYLIC FOOD GRADE；ALDEHYDE C 90 NONENYLIC 1%/TEC；ALDEHYDE C12 (DODECANAL)；ALDEHYDE ISO C 11；マンダリンアルデヒド；トランス−４−デセナール；DIHYDROFARNESAL；ドデカナール；MYRALDENE；およびTANGERINOL；
Ｂ２）香料組成物中で使用される香水成分を基にして０．０１重量％〜２５重量％の、以下からなる群から選択される少なくとも１種のアンバー調の成分：アンバーケタール；アンバーマックス；アンブロセニド；AMBROFIX；AMBROFIX FLAKES；ベランブレ；BOISAMBRENE FORTE；CEDRYL ACETATE LIQUID；CEDRYL METHYL ETHER；CETALOX；ISO E SUPER；KARANAL；KEPHALIS；TIMBEROL；TRIMOFIX O；
Ｂ３）香料組成物中で使用される香水成分を基にして０．０１重量％〜１．５重量％の、以下からなる群から選択される少なくとも１種のアニマリック／レザー調の成分：ANIMALIS 1745 SUBST. PMF 2；ケード油、エッセンス、エキス、代替物、代用物；GUAIACOL；INDOFLOR；インドール；インドレン；スエーデラル成分；
Ｂ４）香料組成物中で使用される香水成分を基にして０．０１重量％〜０．２重量％の、以下からなる群から選択される少なくとも１種のアニス調の成分：ANETHOLE；ANISE STAR OIL；ANISIC ALDEHYDE；ANISYL ACETATE；DIHYDRO ANETHOLE；ESTRAGOLE；ウイキョウ油、エッセンス、エキス、ベース、代替物または代用物；
Ｂ５）香料組成物中で使用される香水成分を基にして０．０１重量％〜０．２重量％の、以下からなる群から選択される少なくとも１種のバルサム調の成分：ベンゾイン油、エッセンス、エキス、代替物または代用物；BENZYL ALCOHOL；BENZYL CINNAMATE；オリバナム油、エッセンス、エキス、代替物または代用物；PHENYL ETHYL PHENYL ACETATE；
Ｂ６）香料組成物中で使用される香水成分を基にして０．０１重量％〜１０重量％の、以下からなる群から選択される少なくとも１種のカンファー／アロマ調の成分：アルモワーズ油、エッセンス、エキス、代替物または代用物；樟脳および樟脳油、エッセンス、エキス、代替物または代用物；ユーカリプトールおよびユーカリプトール油、エッセンス、エキス、代替物または代用物；ラバンジン油、エッセンス、エキス、代替物または代用物；ラベンダー油、エキス、エッセンス、代替物または代用物；ローズマリー油、エッセンス、エキス、代替物または代用物；ニオイヒバ油、エッセンス、エキス、代替物または代用物；
Ｂ７）香料組成物中で使用される香水成分を基にして３０重量％〜約８０重量％の、以下からなる群から選択される少なくとも１種のフローラル調の成分：ACETAL CD；AMYL CINNAMIC ALDEHYDE；AMYL SALICYLATE；AURANTIOL PURE BENZYL ACETATE；BENZYL SALICYLATE；BOURGEONAL；CITRONELLOL；CITRONELLYL ACETATE；CRESYL METHYL ETHER PARA；CYCLAMEN ALDEHYDE EXTRA；CYCLOHEXAL；CYCLOHEXYL SALICYLATE；DIMETHYL ANTHRANILATE；DIMETHYL PHENYL THYL CARBINOL；DUPICAL；ETHYL LINALOOL；FLOROSA；FLOROSA HC；GERANIOL；ゼラニウム油、エッセンス、エキス、代替物または代用物；GERANODYLE；GERANYL ACETATE；GERANYL BUTYRATE；HEDIONE；HEDIONE HC；HEXENYL-3-CIS SALICYLATE；HEXYL CINNAMIC ALDEHYDE；HEXYL CINNAMIC ALDEHYDE DQ AC XI 41505TT；HEXYL SALICYLATE；HYDROXYCITRONELLAL；ISOBUTYL PHENYL ACETATE；ISOBUTYL SALICYLATE；JASMATONE；ジャスミン油、エッセンス、エキス、代替物または代用物；JASMONE CIS；JASMONYL；JASMOPYRANE FORTE；LILIALおよびリリアール代用物；LINALOOL；MEFROSOL；METHYL ANTHRANILATE；METHYL ANTHRANILATE EXTRA；METHYL BENZOATE；METHYL PHENYL ACETATE；ネロリ油、エッセンス、エキス、代替物または代用物；NEROLINE CRYSTALS；NEROLIONE；ORANGER CRYSTALS；ORANGER FLEUR CREME 1103/20；PELARGOL；PEONILE；PETALIA；PHENYL ETHYL ACETATE；PHENYL ETHYL ALCOHOL；PHENYL ETHYL ISOVALERATE；PHENYL ETHYL SALICYLATE CRYSTALS；ROSACETOL；ROSALVA；バラ油、エッセンス、エキス、代替物または代用物；SUPER MUGUET；TERPINEOL PURE；TETRAHYDRO LINALOOL；VERDANTIOL；YARA YARA；イランイラン油、エッセンス、エキス、代替物または代用物；
Ｂ８）香料組成物中で使用される香水成分を基にして０．０１重量％〜２２重量％の、以下からなる群から選択される少なくとも１種のフルーツ調の成分：ACETATE C 6 HEXYLIC；AGRUMEX；ALLYL AMYL GLYCOLATE；ALLYL CAPROATE；ALLYL CYCLOHEXYL PROPIONATE；ALLYL OENANTHATE；AMYL BUTYRATE；APHERMATE；リンゴ油、エッセンス、エキス、代替物または代用物；バナナ油、エッセンス、エキス、代替物または代用物；BENZYL BUTYRATE；BENZYL ISOBUTYRATE；BENZYL PROPIONATE；BUTYL ACETATE；BUTYRIC ACID；カシス油、エッセンス、エキス、代替物または代用物；COGNAC WHITE OIL EXTRA DQ (AC) 41547TT；CYCLOGALBANATE；DAMASCENONE；DAMASCONE ALPHA；DAMASCONE BETA；DAMASCONE DELTA；DECALACTONE DELTA；DECALACTONE GAMMA；デューフルーツ油、エッセンス、エキス、代替物または代用物；DIETHYL MALONATE；DIMETHYL BENZYL CARBINYL ACETATE；DIMETHYL BENZYL CARBINYL BUTYRATE；DODECALACTONE DELTA；DODECALACTONE GAMMA；ETHYL ACETOACETATE；ETHYL BUTYRATE；ETHYL CAPROATE；ETHYL CAPRYLATE；ETHYL ISOAMYL KETONE；ETHYL ISOBUTYRATE；ETHYL METHYL-2-BUTYRATE；ETHYL OENANTHATE；ETHYL PELARGONATE；ETHYL PROPIONATE；ETHYL SAFRANATE；FLOROCYCLENE；FRAISTONE；FRUCTONE；FRUITATE；GARDOCYCLENE；GIVESCONE；グアバ油、エッセンス、エキス、代替物または代用物；HEXENYL-3-CIS BUTYRATE；HEXENYL-3-CIS ISOBUTYRATE；HEXYL BUTYRATE；HEXYL ISOBUTYRATE；ISOAMYL ACETATE EXTRA；ISOAMYL BUTYRATE FR；JASMACYCLENE；MANZANATE；メロン油、エッセンス、エキス、代替物または代用物；METHOXY PHENYL BUTANONE；METHYL HEPTENONE PURE；METHYL HEXYL KETONE；METHYL-2-PENTENOIC ACID；2-NECTARYL；OCTALACTONE GAMMA；PEACH PURE；PHENOXY ETHYL ISOBUTYRATE；PHENYL ETHYL ISOBUTYRATE；PRUNOLIDE；RASPBERRY KETONE (N112)；STRAWBERRY PURE；
Ｂ９）香料組成物中で使用される香水成分を基にして０．００１重量％〜０．０１重量％の、以下からなる群から選択される少なくとも１種のキノコ調の成分：AMYL VINYL CARBINOL；OCIMENE；
Ｂ１０）香料組成物中で使用される香水成分を基にして０．０１重量％〜１重量％の、以下からなる群から選択される少なくとも１種のグルマン調の成分：ACETOIN；アセチルピラジン；BUTYL BUTYRO LACTATE；チョコレート油、エッセンス、エキス、代替物または代用物；CORYLONE DRIED；CYCLOTENE；エチルマルトール；ホモフロノール；ヒドロキシエチルメチルチアゾール；ISOBUTAVAN；MALTYL ISOBUTYRATE；
Ｂ１１）香料組成物中で使用される香水成分を基にして０．０１重量％〜５重量％の、以下からなる群から選択される少なくとも１種のグリーン調の成分：ACETAL E；ALCOHOL C 6 HEXYLIC；ALDEHYDE C 6 HEXYLIC FOOD GRADE；BUTYL QUINOLINE SECONDARY；CYCLAL C；DIPHENYL OXIDE；ELINTAAL；ETHYL DECADIENOATE；エチルジメチルピラジン；ガルバノン；GARDENOL；ヘキサナール−２−トランス；HEXENOL-2-TRANS；HEXENOL-3-CIS；HEXENYL-3-CIS ACETATE；HEXENYL-3-CIS BENZOATE；HEXENYL-3-CIS PROPIONATE；ISOCYCLOCITRAL；イソヘキシルメトキシピラジン；LIFFAROME；LIGANTRAAL；MACEAL；METHYL OCTYNE CARBONATE；NEOFOLIONE；ノナジエナール；NONADIENOL-2,6；ノネナール−６−シス；NONENOL-6-CIS；フェノキシアセトアルデヒド；フェニルアセトアルデヒド；PYRALONE；RESEDAL；ROSE OXIDE；ROSYRANE SUPER；STEMONE；TRICYCLAL；TRIFERNAL；UNDECATRIENE；UNDECAVERTOL；バイオレットニトリル；VIRIDINE；
Ｂ１２）香料組成物中で使用される香水成分を基にして０．０１重量％〜０．５重量％の、以下からなる群から選択される少なくとも１種のハーブ調の成分：バジル油、エッセンス、エキス、代替物または代用物；カモミール油、エッセンス、エキス、代替物または代用物；CITRONELLAL；クラリセージ油、エッセンス、エキス、代替物または代用物；CYPRISATE；ユーカリ油、エキス、エッセンス、代替物または代用物；HERBOXANE；PINOACETALDEHYDE；TANAISONE；タイム油、エッセンス、エキス、代替物または代用物；THYMOL CRYSTALS；
Ｂ１３）香料組成物中で使用される香水成分を基にして０．０１重量％〜５重量％の、以下からなる群から選択される少なくとも１種のマリン／ウォータリー調の成分：ADOXAL；アズロン；CALONE 1951；FENNALDEHYDE；FLORALOZONE；FLORHYDRAL；MELONAL；SCENTENAL；TROPIONAL；VERNALDEHYDE；
Ｂ１４）香料組成物中で使用される香水成分を基にして０．０１重量％〜０．５重量％の、以下からなる群から選択される少なくとも１種のミント調の成分：ブチュ葉油、エッセンス、エキス、代替物または代用物；CARVONE LAEVO；ハッカ油、エッセンス、エキス、代替物または代用物；FRESKOMENTHE；ISOMENTHONE DL；MENTHOL LAEVO；MENTHOL-DL；MENTHONE；MENTHYL ACETATE；ペパーミント油、エッセンス、エキス、代替物または代用物；スペアミント油、エッセンス、エキス、代替物または代用物；
Ｂ１５）香料組成物中で使用される香水成分を基にして０．０１重量％〜５０重量％の、以下からなる群から選択される少なくとも１種のムスク調の成分：AMBRETTOLIDE；CASHMERAN；COSMONE；シクロペンタデカノリド；ETHYLENE BRASSYLATE；GALAXOLIDE；GALAXOLIDE S；HABANOLIDE；MUSCENONE；MUSK C14；SERENOLIDE；SILVANONE SUPRA；SYLKOLIDE；VELVIONE；
Ｂ１６）香料組成物中で使用される香水成分を基にして０．０１重量％〜１０重量％の、以下からなる群から選択される少なくとも１種のオリス調の成分：CETONE V；DIHYDRO IONONE BETA；IONONE BETA；IRISONE ALPHA；IRISONE PURE；ISORALDEINE 70；ISORALDEINE 95；ORIVONE；
Ｂ１７）香料組成物中で使用される香水成分を基にして０．０１重量％〜１重量％の、以下からなる群から選択される少なくとも１種のスパイス調の成分：カルダモン油、エッセンス、エキス、代替物または代用物；CARYOPHYLLENE；?CINNAMIC ALCOHOL；CINNAMIC ALDEHYDE；シナモンリーフ油、エッセンス、エキス、代替物または代用物；クローブ油、エッセンス、エキス、代替物または代用物；コリアンダー油、エッセンス、エキス、代替物または代用物；エレミ油、エッセンス、エキス、代替物または代用物；ETHYL CINNAMATE；EUGENOL；ジンジャー油、エッセンス、エキス、代替物または代用物；ISOEUGENOL；?METHYL CINNAMATE；METHYL ISOEUGENOL；MYSTIKAL；ナツメグ油、エッセンス、エキス、代替物または代用物；胡椒油、エッセンス、エキス、代替物または代用物；SZECHUAN PEPPER (ASH BARK) DQ AF 24070TT；
Ｂ１８）香料組成物中で使用される香水成分を基にして０．０１重量％〜０．５重量％の、以下からなる群から選択される少なくとも１種の硫黄調の成分：アンジェルク（Anjeruk）；コールカシス；コールパンプルムース；ジメチルスルフィド；GARDAMIDE；ラビエノキシム；メルカプタン；METHYL ISOPROPYL THIAZOLE；ナルドゼステ（Nardozeste）油、エッセンス、エキス、代替物または代用物；NEOCASPIRENE EXTRA；NONIVAMIDE 1% TRIACETIN；オキサン；PARADISAMIDE；パラメントン；
Ｂ１９）香料組成物中で使用される香水成分を基にして０．０１重量％〜１０重量％の、以下からなる群から選択される少なくとも１種のスウィート／パウダリー調の成分：ACETOPHENONE；AUBEPINE PARA CRESOL；BICYCLO NONALACTONE；COUMARIN；エチルライトン；ETHYL VANILLIN；HELIOTROPIN；バニラ油、エッセンス、エキス、代替物または代用物；バノリア（Vanolia）油、エッセンス、エキス、代替物または代用物；VERATRIC ALDEHYDE；
Ｂ２０）香料組成物中で使用される香水成分を基にして０．０１重量％〜１５重量％の、以下からなる群から選択される少なくとも１種のウッディ／パイン調の成分：BORNEOL；BORNYL ACETATE LIQUID；BUTYL CYCLOHEXANOL PARA；BUTYL CYCLOHEXYL ACETATE PARA；シダーウッド油、エッセンス、エキス、代替物または代用物；CONIFERAN；EBANOL；EVERNYL；FENCHYL ACETATE；ガイアックウッド油、エッセンス、エキス、代替物または代用物；ISONONANYL ACETATE?；JAVANOL；KOHINOOL；MENTHANYL ACETATE；METHYL CEDRYL KETONE；NOPYL ACETATE；OSYROL；OXYOCTALINE FORMATE；パチュリー油、エッセンス、エキス、代替物または代用物；PINENE ALPHA；PINENE BETA；RADJANOL；RADJANOL SUPER；テレピン油、エッセンス、エキス、代替物または代用物；VERTOFIX COEUR；ベチバー油、エッセンス、エキス、代替物または代用物；
および、任意に
Ｂ２１）香料組成物中で使用される香水成分を基にして０．０１重量％〜１０重量％の、以下からなる群から選択される少なくとも１種の成分：ALDEHYDE C12；およびMENTHYL ACETATE。
【請求項４】
香料組成物が、群Ｂ７から、少なくとも1種の成分を示された量で含む、請求項１〜３のいずれか一項に記載の消費者用製品。
【請求項５】
香料組成物が、群Ｂ１〜Ｂ４、Ｂ６、Ｂ８、Ｂ１０、Ｂ１１、およびＢ１３〜Ｂ２０の少なくとも４つから、少なくとも1種の成分を示された量で含む、請求項１〜４のいずれか一項に記載の消費者用製品。
【請求項６】
香料組成物が、群Ｂ１、Ｂ１１、Ｂ１８、およびＢ１９のそれぞれから、少なくとも1種の成分を示された量で含む、請求項１〜５のいずれか一項に記載の消費者用製品。
【請求項７】
香料組成物が、Ｂ１）０．０４２％の少なくとも１つのアルデヒド調成分、Ａ）１０．９３８％の少なくとも１つの柑橘調成分、Ｂ１１）４．２７１％の少なくとも１つのグリーン調成分、Ｂ１３）３．３９６％の少なくとも１つのマリン／ウォータリー調成分、Ｂ１８）０．２０８％の少なくとも１つの硫黄調成分、Ｂ７）６３．５４２％の少なくとも１つのフローラル調成分、Ｂ１６）２．０８３％の少なくとも１つのオリス調成分、Ｂ８）１２．６０４％の少なくとも１つのフルーツ調成分、Ｂ２）２．０８３％の少なくとも１つのアンバー調成分、Ｂ３）０．０４２％の少なくとも１つのアニマリック／レザー調成分、Ｂ１９）０．２７１％の少なくとも１つのスウィート／パウダリー調成分、およびＢ２０）０．５２１％の少なくとも１つのウッディ／パイン調成分を含む、請求項１〜６のいずれか一項に記載の消費者用製品。
【請求項８】
香料組成物が、Ｂ１）０．２２１％の少なくとも１つのアルデヒド調成分、Ａ）１．９０５％の少なくとも１つの柑橘調成分、Ｂ１１）３．０８７％の少なくとも１つのグリーン調成分、Ｂ１３）２．３４６％の少なくとも１つのマリン／ウォータリー調成分、Ｂ１８）０．０６０％の少なくとも１つの硫黄調成分、Ｂ７）５９．９４４％の少なくとも１つのフローラル調成分、Ｂ１６）１０．０２４％の少なくとも１つのオリス調成分、Ｂ８）２１．０７１％の少なくとも１つのフルーツ調成分、Ｂ１７）０．４４１％の少なくとも１つのスパイス調成分、Ｂ１０）０．２００％の少なくとも１つのグルマン調成分、Ｂ１９）０．２００％の少なくとも１つのスウィート／パウダリー調成分、およびＢ２０）０．５０１％の少なくとも１つのウッディ／パイン調成分を含む、請求項１〜６のいずれか一項に記載の消費者用製品。
【請求項９】
洗濯物ケア製品、パーソナルケア製品、口腔ケア製品、空気ケア製品およびホームケア製品からなる群から選択される、請求項１〜８のいずれか一項に記載の消費者用製品。
【請求項１０】
‐  重量で０．０１％〜２５％の香料組成物を含む空気清浄製品；
‐  重量で０．０１％〜６０％の香料組成物を含む口腔ケア製品；
‐  重量で０．０１％〜２０％の香料組成物を含む衣類ケア製品；
‐  重量で０．０１％〜２０％の香料組成物を含むパーソナルケア製品；および
‐  重量で０．０１％〜３４％の香料組成物を含むホームケア製品
からなる群から選択される、請求項９に記載の消費者用製品。